(57)【要約】【課題】電子モジュールを複数有する場合でも、コンピューティングシステムを十分冷却することのできる電子モジュールの反転可能なファンを備えた装置等を提供する。【解決手段】電子モジュール（１０６）、（１０８）が第１の位置（１１０）になるよう通信可能に連結されると時計回りの向きに回転するとともに、前記電子モジュール（１０６）、（１０８）が第２の位置（１１２）になるよう通信可能に連結されると反時計回りの向きに回転することを特徴とするものである。【選択図】        図２
2006209765.tif 000002
【特許請求の範囲】
【請求項１】
電子モジュールの反転可能なファンを備え、
この反転可能なファンは、前記電子モジュールが第１の位置になるよう通信可能に連結されると時計回りの向きに回転するとともに、前記電子モジュールが第２の位置になるよう通信可能に連結されると反時計回りの向きに回転することを特徴とする装置。
【請求項２】
前記電子モジュールは、前記第１の位置又は前記第２の位置においてミッドプレーンボードに通信可能に連結され、
前記第１の位置は前記ミッドプレーンボードの第１の側に配置され、
前記第２の位置は前記ミッドプレーンボードの第２の側に配置されることを特徴とする請求項１に記載の装置。
【請求項３】
前記反転可能なファンは１つ又は複数のファンブレードを備え、
前記１つ又は複数のファンブレードは、前記時計回りの回転の向き及び前記反時計回りの回転の向きの両方に関して、それぞれ空気流の向きが反対の略同様な空気流特性が得られるように配置されることを特徴とする請求項１に記載の装置。
【請求項４】
前記１つ又は複数のファンブレードは、剛性を有するとともに、前記時計回りの向き及び前記反時計回りの向きの両方における回転に関して略対称形であり、
前記反転可能なファンは、ハブと前記１つ又は複数のファンブレードとを備え、前記１つ又は複数のファンブレードは、前記ハブの第１の端部から前記ハブの第２の端部へ斜めに延びる平坦なブレードであることを特徴とする請求項３に記載の装置。
【請求項５】
前記１つ又は複数のファンブレードは、可撓性のブレード部分と、この可撓性のブレード部分の各端にブレード支持部材とを有するファンブレードであり、
前記反転可能なファンが前記時計回りの向きに回転すると、前記可撓性のブレード部分は曲がって第１の湾曲位置になり、それによって、第１の向きの空気流が増加することを促進し、
前記反転可能なファンが前記反時計回りの向きに回転すると、前記可撓性のブレード部分は曲がって第２の湾曲位置になり、それによって、前記第１の向きとは反対の第２の向きの空気流が増加することを促進することを特徴とする請求項３に記載の装置。
【請求項６】
前記電子モジュールは第１の電源モジュールを備え、前記反転可能なファンは第１の反転可能な電源ファンを備え、前記装置は第２の電源モジュールの第２の反転可能な電源ファンをさらに備え、
前記第１の電源モジュールは前記第１の位置においてミッドプレーンボードに通信可能に連結され、前記第２の電源モジュールは前記第２の位置において前記ミッドプレーンボードに通信可能に連結され、
前記第１の電源モジュールが前記第１の位置にあると判断すると、前記第１の反転可能な電源ファンが前記時計回りの向きに回転し、
前記第２の電源モジュールが前記第２の位置にあると判断すると、前記第２の反転可能な電源ファンが前記反時計回りの向きに回転し、
前記第１及び第２の反転可能な電源ファンのうちの第１のものからの空気流は、前記第１及び第２の反転可能な電源ファンのうちの第２のものを通って、前記第１及び第２の反転可能な電源ファンのうちの前記第２のものが発生する空気流と同じ空気流の向きで流れることを特徴とする請求項１に記載の装置。
【請求項７】
前記電子モジュールの第１の端部は、前記第１の位置において前記ミッドプレーンボードの第１の面に、又は前記第２の位置において前記ミッドプレーンボードの第２の面に接続し、
前記装置は、電子モジュールが前記ミッドプレーンボードの前記第１の面に接続されているか又は前記第２の面に接続されているかを判断し、それによって、前記反転可能なファンを前記時計回りの向きに駆動するか又は前記反時計回りの向きに駆動するかを判断するファンコントローラをさらに備えることを特徴とする請求項１に記載の装置。
【請求項８】
前記ミッドプレーンボード及び前記電子モジュールとの組み合わせにおいて、
前記電子モジュールは前記ミッドプレーンボードに通信可能に連結され、
前記ミッドプレーンボードは、このミッドプレーンボードの一方の面から延びるピンを備え、前記電子モジュールは前記ピンと整合する穴を備え、
前記電子モジュールが、前記ミッドプレーンボードの、前記ピンを有する前記一方の面に接続される場合には、前記穴が前記ピンを受け入れ且つ前記ピンが前記電子モジュール内のスイッチを閉じ、
前記電子モジュールが、前記ミッドプレーンボードの、前記ピンのない他方の面に接続される場合には、前記電子モジュール内の前記スイッチが開き、
前記スイッチが閉じている場合には、前記ファンコントローラは前記反転可能なファンを時計回りの向き及び反時計回りの向きのうちの第１の向きに駆動し、
前記スイッチが開いている場合には、前記ファンコントローラは前記反転可能なファンを時計回りの向き及び反時計回りの向きのうちの第２の向きに駆動することを特徴とする請求項７に記載の装置。
【請求項９】
電子モジュールは反転可能なファンを備え、電子モジュールが第１の位置において通信可能に連結されているか又は第２の位置において通信可能に連結されているかを判断するステップと、
前記電子モジュールが前記第１の位置にあるか又は前記第２の位置にあるかに基づいて、前記反転可能なファンの回転の向きを設定するステップと
を含むことを特徴とする方法。
【請求項１０】
前記電子モジュールは第１の電源モジュールを備え、前記反転可能なファンは第１の反転可能な電源ファンを備え、前記第１の電源モジュール及び第２の電源モジュールはミッドプレーンボードに通信可能に連結され、前記第２の電源モジュールは第２の反転可能な電源ファンを備え、
前記電子モジュールが前記第１の位置において通信可能に連結されているか又は前記第２の位置において通信可能に連結されているかを判断する前記ステップは、
前記第１の電源モジュールが、前記第１の位置において前記ミッドプレーンボードの第１の面に通信可能に連結されているか又は前記第２の位置において前記ミッドプレーンボードの第２の面に通信可能に連結されているかを判断するステップと、
前記第２の電源モジュールが、前記第１の位置において前記ミッドプレーンボードの前記第１の面に通信可能に連結されているか又は前記第２の位置において前記ミッドプレーンボードの前記第２の面に通信可能に連結されているかを判断するステップと
を含み、前記方法は、
前記第１の反転可能な電源ファン及び第２の反転可能な電源ファンを互いに反対の回転の向きに駆動して前記第１の反転可能な電源ファン及び前記第２の反転可能な電源ファンが同じ向きの空気流を発生するステップ
をさらに含むことを特徴とする請求項９に記載の方法。
【発明の詳細な説明】
【技術分野】
【０００１】
本発明は、電子モジュールの反転可能なファン等に関する。
【背景技術】
【０００２】
コンピューティングシステムは、動作中にかなりの量の熱を発生する電子部品を利用する。さまざまなタイプの冷却システムを用いて、電子部品と電子部品の環境との温度を、許容できる動作温度範囲内に維持する。例えば、電子モジュールはファンを用いてその電子モジュール内の電子部品の端から端までの冷却空気流を作り出すことができる。
【０００３】
電子モジュールの一端に配置されたファンを用いるデザインもある。このファンによって、冷却空気流は電子部品の端から端まで強制的に進み、その後電子モジュールの他端から出て行く。ファンは向きが単一の空気流に合わせて最適化してもよい。例えばファンブレードは、電子モジュールの、ファンを収容している方の端から、電子モジュールの他端への向きの空気流に合わせた曲線状であってもよい。
【発明の開示】
【発明が解決しようとする課題】
【０００４】
上記の背景技術の段落を参照すると、電子モジュールのファンは、コンピューティングシステムにおける電子モジュールの位置にかかわらず、同一の向きの空気流を作り出す。例えばファンは、電子モジュールの、ファンを収容している方の端から、電子モジュールの他端への空気流を生成する、回転の向きを有する。コンピューティングシステムにおいて、冷却ファンを有する２つの電子モジュールが必要となる場合がある。例えばコンピューティングシステムは、冷却ファンを有する２つの電源モジュールを用いることができる。第１の電子モジュールは、ミッドプレーンボードの第１の側でコンピューティングシステム内に連結され得る。第２の電子モジュールはミッドプレーンボードの第２の側でコンピューティングシステム内に連結され得る。電子モジュールの既知のデザインには、電子モジュールの一端に、他端に向かって空気を強制的に進ませるファンを有するものがある。この２つの電子モジュールがミッドプレーンのところで連結されてシステムの一部になると、２つのファンが、空気を互いに反対の向きに強制的に進ませる。一例において、２つのファンが空気を互いに向かってコンピューティングシステムの中心へと強制的に進ませ、空気の出口通路がない場合がある。他の例において、２つのファンが空気を互いから遠ざかるよう互いに反対の向きに強制的に進ませてシステムの外へ向かわせ、コンピューティングシステムが十分に冷却されない場合がある。欠点の１つは、これら電子モジュールは、ファンの空気流の向きを反転して両方のファンからの空気流を同じ向きに整列させる、ということができないことである。したがって、コンピューティングシステムにおける電子モジュールの位置に基づいてファンの回転の向きを設定するファンコントローラが必要とされている。
【課題を解決するための手段】
【０００５】
本発明の一つの実施態様はシステムを包含する。システムは、サブシステムがシステムにおける第１の位置になるよう通信可能に連結されると時計回りの向きに回転するとともに、サブシステムがシステムにおける第２の位置になるよう通信可能に連結されると反時計回りの向きに回転する、サブシステムの反転可能なファンを備える。
【０００６】
本発明の他の実施態様は装置を包含する。装置は、電子モジュールが第１の位置になるよう通信可能に連結されると時計回りの向きに回転するとともに、電子モジュールが第２の位置になるよう通信可能に連結されると反時計回りの向きに回転する、反転可能なファンを備える。
【０００７】
本発明のさらに別の実施態様は方法を包含する。電子モジュールが第１の位置において通信可能に連結されているか又は第２の位置において通信可能に連結されているかを判断する。電子モジュールは反転可能なファンを備える。電子モジュールが前記第１の位置にあるか又は前記第２の位置にあるかに基づいて、前記反転可能なファンの回転の向きを設定する。
【０００８】
本発明のさらに別の実施態様は装置を包含する。装置は、ミッドプレーンボードの第１の側に第１の電子モジュールを、及びミッドプレーンボードの第２の側に第２の電子モジュールを収容する手段を備える。第１の電子モジュールは第１のファンを備え、第２の電子モジュールは第２のファンを備える。第２のファンの回転の向きは反転可能である。装置は、第２のファンの回転の向きを第１のファンの回転の向きと反対に設定して第２のファンを通る空気流が第１のファンを通る空気流と同じ向きになるようにする手段をさらに備える。
【発明を実施するための最良の形態】
【０００９】
本発明の例示的な実施態様の特徴は、説明、特許請求の範囲、及び添付図面から明らかになろう。
【００１０】
図１を参照すると、装置１００はコンピュータシャーシ１０２、ミッドプレーンボード１０４、及び１つ又は複数の電子モジュール１０６、１０８を備える。一例における装置１００は、コンピューティングシステム等のシステムを備える。システムは電子モジュール１０６、１０８等の複数のサブシステムを備える。電子モジュール１０６を、システムにおける第１の位置１１０に通信可能に連結するには、電子モジュール１０６を第１の向きから（例えば、コンピュータシャーシ１０２の前方から）コンピュータシャーシ１０２に挿入する。電子モジュール１０８を、システムにおける第２の位置１１２に通信可能に連結するには、電子モジュール１０８を第２の向きから（例えば、コンピュータシャーシ１０２の後方から）コンピュータシャーシ１０２に挿入する。電子モジュール１０６、１０８が電源モジュールを構成する場合には、ミッドプレーンボード１０４は各電源モジュールに交流電力を配電する。そして電源モジュールは、ミッドプレーンボード１０４に、システム内の他の電子機器において用いる直流電力を戻す。電源モジュールの交流入力電力と直流出力電力は、ブラインドメイト電気コネクタを介してミッドプレーンボード１０４と電源モジュールとの間で配電される。
【００１１】
一例において、２つの電子モジュール１０６、１０８は互いに異なる。例えば、電子モジュール１０６は電源モジュールであってもよく、電子モジュール１０８はメモリモジュールであってもよい。他の例において、電子モジュール１０６、１０８は略同一である。例えば、電子モジュール１０６、１０８はともに、略同一の外部接続を有する電源モジュールであってもよい。一例における電子モジュール１０６、１０８は互換性を有する。例えば、電子モジュール１０６、１０８のうちのいずれかを、コンピュータシャーシ１０２の第１の位置１１０に挿入してもよく、また、電子モジュール１０６、１０８のうちのいずれかを、コンピュータシャーシ１０２の第２の位置１１２に挿入してもよい。
【００１２】
図１及び図２を参照すると、電子モジュール１０６はファンコントローラ２０２及び１つ又は複数の反転可能なファン２０４とを備える。電子モジュール１０８は、電子モジュール１０６のファンコントローラ２０２及び反転可能なファン２０４と類似及び／又は同一の、ファンコントローラ（図示せず）及び１つ又は複数の反転可能なファン（図示せず）を備える。例えば、電子モジュール１０６、１０８内でのファンの位置は略同様である。反転可能なファン２０４は、電子モジュール１０６の内部にあっても外部にあってもよい。例えば、反転可能なファン２０４は電子モジュール１０６のシャーシ内に収容されていてもよく、電子モジュール１０６のシャーシの外面に取り付けられていてもよい。
【００１３】
電子モジュール１０６はコンピュータシャーシ１０２の前方から挿入され、電子モジュール１０８はコンピュータシャーシ１０２の後方から挿入されるので、電子モジュール１０６、１０８は向きが反対である。したがって、ファンコントローラ２０２と電子モジュール１０８のファンコントローラとは、反転可能なファン２０４と電子モジュール１０８の反転可能なファンとの回転の向きを反対に設定して、空気流の向きが同じになるように空気を動かす。
【００１４】
一例において、電子モジュール１０６と１０８とはわずかにオフセットされており、これにより、電子モジュール１０６、１０８がそれぞれ独自の空気流通路を有するようになっている。他の例において、電子モジュール１０６、１０８は同じ空気流通路の中にある。電子モジュール１０６と１０８とを横に並べた構成に利用でき、電子モジュール１０６、１０８のファンが同じ向きに回転して向きが同じ空気流を生成することができる空間がコンピュータシャーシ１０２には存在しない場合がある。したがって電子モジュール１０６、１０８は、コンピュータシャーシ１０２の一方の側に直列に配置されることがある。この場合、電子モジュール１０６、１０８のファンは反対向きに回転して向きが同じ空気流を生成する。
【００１５】
電子モジュール１０６、１０８のうちの第１のものからの空気流は、電子モジュール１０６、１０８のうちの第２のものを通るか又はその周りを、電子モジュール１０６、１０８のうちの第２のものが発生する空気流と同じ空気流の向きで流れる。例えば、空気流がコンピュータシャーシ１０２の前方からコンピュータシャーシ１０２の後方に移動することが望まれる場合には、反転可能なファン２０４は、電子モジュール１０８の反転可能なファンを通るか又はその周りを、電子モジュール１０８の反転可能なファンが作り出す空気流と同じ空気流の向きで流れる空気流を作り出す。反転可能なファンが、電子モジュール１０６、１０８の互いに接続されていない方の端に配置されている場合には、反転可能なファン２０４は、電子モジュール１０６を通して電子モジュール１０８に向かって空気を押し出し、電子モジュール１０８の反転可能なファンは、電子モジュール１０８を通して出口通路に向かって空気を引き込む。反転可能なファン２０４からの空気流と電子モジュール１０８の反転可能なファンからの空気流は両方とも、コンピュータシャーシ１０２の後方から出て行く。
【００１６】
空気流がコンピュータシャーシ１０２の前方からコンピュータシャーシ１０２の後方に移動することが望まれる場合には、ファンコントローラ２０２は反転可能なファン２０４を第１の回転の向きに駆動し、これにより、電子モジュール１０８の反転可能なファンに向かって空気を強制的に進ませる。電子モジュール１０８のファンコントローラは、電子モジュール１０８の反転可能なファンを第１の回転の向きと反対の第２の回転の向きに駆動し、これにより、コンピュータシャーシ１０２の後方の出口通路に向かって空気を強制的に進ませる。一例におけるミッドプレーンボード１０４は開口部２０５を備え、この開口部２０５によって電子モジュール１０６と１０８との間を空気流が通過することができる。
【００１７】
ファンコントローラ２０２は、電子モジュール１０６が、ミッドプレーンボード１０４の第１の側の第１の位置１１０にあるか又はミッドプレーンボード１０４の第２の側の第２の位置１１２にあるかに基づいて、反転可能なファン２０４の回転の向きを設定する。一例におけるミッドプレーンボード１０４は、ミッドプレーンボード１０４の第１の面上にコネクタ２０６を、ミッドプレーンボード１０４の第２の面上にコネクタ２０８を、及びミッドプレーンボード１０４の一方の面（例えば、コネクタ２０６を支持する第１の面）から延びるピン２１０を備える。ミッドプレーンボード１０４の他方の面（例えば、コネクタ２０８を支持する第２の面）は、ピン２１０と類似するピンを有しない。ピン２１０は、ミッドプレーンボード１０４の一方の面を、ミッドプレーンボード１０４の他方の面から区別するのに役立つ。
【００１８】
電子モジュール１０６は、電子モジュール１０６をコネクタ２０６に接続するとピン２１０と整合する穴２１２を備える。電子モジュール１０６が、ミッドプレーンボード１０４の、ピン２１０を有する一方の面に接続される場合には、穴２１２がピン２１０を受け入れ且つピン２１０が電子モジュール１０６内のスイッチ２１４を閉じる。電子モジュール１０６が、ミッドプレーンボード１０４の、ピン２１０と類似するピンを有しない他方の面に接続される場合には、電子モジュール１０６内のスイッチ２１４は開いたままである。ファンコントローラ２０２はスイッチ２１４を用いて、電子モジュール１０６がミッドプレーンボード１０４の第１の側の第１の位置１１０にあるか又はミッドプレーンボード１０４の第２の側の第２の位置１１２にあるかを知らせる。例えば、ファンコントローラ２０２はスイッチ２１４を用いて、反転可能なファン２０４を時計回りの向きに駆動するか又は反時計回りの向きに駆動するかを判断する。スイッチ２１４が閉じると、ファンコントローラ２０２は反転可能なファン２０４を、時計回りの向き及び反時計回りの向きのうちの第１の向きに駆動する。スイッチ２１４が開いていると、ファンコントローラ２０２は反転可能なファン２０４を、時計回りの向き及び反時計回りの向きのうちの第２の向きに駆動する。
【００１９】
他の例において、光線センサはファンコントローラ２０２に、電子モジュール１０６が第１の位置１１０にあるか又は第２の位置１１２にあるかを知らせる。例えばピン２１０は光遮断器（optical interrupter）の役割を果たす。電子モジュール１０６が、ミッドプレーンボード１０４の、光遮断器を有する一方の面に接続される場合には、光遮断器は光線センサと相互作用して光スイッチを作動させる。例えば、光遮断器は、光線が光線センサに達しないよう遮断する。電子モジュール１０６が、ミッドプレーンボード１０４の、光遮断器を有しない他方の面に接続される場合には、光線は光線センサに達しないよう遮断されることがなく、光スイッチは作動しない。光スイッチが作動すると、ファンコントローラ２０２は、反転可能なファン２０４を時計回りの向き及び反時計回りの向きのうちの第１の向きに駆動する。光スイッチが作動しないと、ファンコントローラ２０２は、反転可能なファン２０４を時計回りの向き及び反時計回りの向きのうちの第２の向きに駆動する。
【００２０】
さらに他の例において、コネクタ２０６の２つのピン間のジャンパーが、ファンコントローラ２０２に、電子モジュール１０６が第１の位置１１０にあるか又は第２の位置１１２にあるかを知らせる。ジャンパーは、ミッドプレーンボード１０４の一方の面上のコネクタ２０６における２つのピンを電気接続する。ミッドプレーンボード１０４の他方の面上のコネクタ２０８は、コネクタ２０６の場合と同一の、２つのピン間のジャンパーを有しない。電子モジュール１０６がジャンパーでコネクタ２０６に接続される場合には、ジャンパーが電子モジュール１０６における回路を閉じ、ミッドプレーンボード１０４の、ジャンパーを有する側に電子モジュール１０６があるということをファンコントローラ２０２に知らせる。電子モジュール１０６が、ミッドプレーンボード１０４の、ジャンパーを有しない他方の側のコネクタ２０８に接続される場合には、電子モジュール１０６における回路は開いたままであり、ミッドプレーンボード１０４の、ジャンパーを有しない側に電子モジュール１０６があるということをファンコントローラ２０２に知らせる。ファンコントローラ２０２は回路状態（すなわち、開状態又は閉状態）を用いて、反転可能なファン２０４を時計回りの向きに回転するか又は反時計回りの向きに回転するかを判断する。
【００２１】
図１ないし図３を参照すると、一例において、ファンコントローラ２０２は、反転可能なファン２０４の回転の向きを制御する、反転可能なファン２０４への２つの出力線３０２、３０４を備える。２つの出力線３０２、３０４は、反転可能なファン２０４への入力線を備える。２つの出力線３０２、３０４のうちの一方は、電気的に高く（ＨＩＧＨ）、他方は電気的に低く（ＬＯＷ）設定される。反転可能なファン２０４は、時計回りの向きと反時計回りの向きのいずれかに回転し、どちらに回転するかは２つの出力線３０２、３０４のうちのどちらが電気的に高いかによって決まる。ファンコントローラ２０２は、２つの出力線３０２、３０４の極性を変えることによって、反転可能なファン２０４の回転の向きを変える。
【００２２】
電子モジュール１０６が第１の位置１１０にある場合には、ファンコントローラ２０２は第１の出力線３０２を電気的に高く、第２の出力線３０４を電気的に低く設定する。電子モジュール１０６が第２の位置１１２にある場合には、ファンコントローラ２０２は、第１の出力線３０２を電気的に低く、第２の出力線３０４を電気的に高く設定する。一例において、ファンコントローラ２０２は、電子モジュール１０６が第１の位置１１０にあるときに反転可能なファン２０４を時計回りの向きに駆動し、電子モジュール１０６が第２の位置１１２にあるときに反時計回りの向きに駆動する。他の例において、ファンコントローラ２０２は、電子モジュール１０６が第１の位置１１０にあるときに反転可能なファン２０４を反時計回りの向きに駆動し、電子モジュール１０６が第２の位置１１２にあるときに時計回りの向きに駆動する。
【００２３】
図１、図２、及び図４を参照すると、他の例において、反転可能なファン２０４は２つの電力線４０２、４０４を備え、ファンコントローラ２０２は、反転可能なファン２０４の回転の向きを制御する、反転可能なファン２０４への向き制御出力線４０６を備える。２つの電力線４０２、４０４のうちの一方は、電気的に高く、他方は電気的に低く、これにより、反転可能なファン２０４に電力を供給する。向き制御出力線４０６は、反転可能なファン２０４への向き制御入力線を備える。ファンコントローラ２０２は、向き制御出力線４０６を介して反転可能なファン２０４に回転の向き制御信号を送り、反転可能なファン２０４の回転の向きを設定する。一例において、ファンコントローラ２０２は、向き制御出力線４０６を電気的に高く設定することにより反転可能なファン２０４を時計回りの向きに駆動し、また、向き制御出力線４０６を電気的に低く設定することにより反転可能なファン２０４を反時計回りの向きに駆動する。他の例において、ファンコントローラ２０２は、向き制御出力線４０６を電気的に高くすることにより反転可能なファン２０４を反時計回りの向きに駆動し、また、向き制御出力線４０６を電気的に低くすることにより反転可能なファン２０４を時計回りの向きに駆動する。
【００２４】
図１、図３、及び図４を参照すると、ファンコントローラ２０２は、電子モジュール１０６が第１の位置１１０にあるか又は第２の位置１１２にあるかに基づいて、電子モジュール１０６の反転可能なファン２０４の回転の向きを設定する。一例におけるファンコントローラ２０２は、スイッチ３０６を用いて、電子モジュール１０６が第１の位置１１０にあるか又は第２の位置１１２にあるかを検出する。スイッチ３０６は、マイクロスイッチ、光センサ、又はミッドプレーンボード１０４のコネクタのジャンパーで構成されてもよい。一例において、電子モジュール１０６が第１の位置１１０にある場合にはスイッチ３０６が閉じ、電子モジュール１０６が第２の位置１１２にある場合にはスイッチ３０６が開く。他の例において、電子モジュール１０６が第２の位置１１２にある場合にはスイッチ３０６が閉じ、電子モジュール１０６が第１の位置１１０にある場合にはスイッチ３０６が開く。ファンコントローラ２０２は、スイッチ３０６が開いているか又は閉じているかに基づいて、回転制御線（例えば出力線３０２、３０４又は向き制御出力線４０６）を設定する。
【００２５】
図５ないし図８を参照すると、反転可能なファン２０４は、反転可能なモーター、フレーム５０２、ハブ５０４、及び１つ又は複数のファンブレード５０６を備える。フレーム５０２によって、反転可能なファン２０４が、電子モジュール１０６（図２）内に連結される。ハブ５０４は、時計回りの向き及び反時計回りの向きの両方に回転することができる。ファンブレード５０６は、ハブ５０４から延びている。
【００２６】
ファンブレード５０６は、時計回りの回転の向き及び反時計回りの回転の向きの両方に関して、それぞれ空気流の向きが反対の、略同様な空気流特性が得られるようにハブ５０４上に配置される。ハブ５０４が時計回りの向きに回転する場合には、反転可能なファン２０４は第１の向き６０２の第１の空気流を作り出す。ハブ５０４が反時計回りの向きに回転する場合には、反転可能なファン２０４は、第１の向き６０２と反対の第２の向き６０４の第２の空気流を作り出す。第１の空気流と第２の空気流とは量及び速度が略同様であり、これにより、反転可能なファン２０４のどちらの回転の向きにおいても同様に冷却を促進する。
【００２７】
ファンブレード５０６は、時計回りの向き及び反時計回りの向きの両方における回転に関して略対称形である。例えば、ファンブレード５０６の、時計回りの回転の向きにおいて空気に作用する表面は、ファンブレード５０６の、反時計回りの回転の向きにおいて空気に作用する表面とほぼ同様である。
【００２８】
図６及び図７を参照すると、ファンブレード５０６は剛性を有する。例えばファンブレードは、金属、プラスチックその他で形成されている。一例におけるファンブレード５０６は、ハブ５０４の第１の端部６０６からハブ５０４の第２の端部６０８へと斜めに延びている。一例において、ファンブレード５０６は、約４５度の角度６１０で調節された平らなブレード（図６）である。他の例において、ファンブレード５０６は、回転すると空気流が増加することを促進する１つ又は複数の湾曲部分７０２を有する、湾曲したブレード（図７）である。
【００２９】
図８を参照すると、ファンブレード５０６は可撓性を有する。例えばファンブレード５０６は、可撓性のブレード部分８０２と、可撓性のブレード部分８０２それぞれの端におけるブレード支持部材８０４とを備える。ブレード支持部材８０４が可撓性のブレード部分８０２の両端を所定位置に保持する一方で、可撓性のブレード部分８０２の中央部は曲がって湾曲位置になることができ、これにより、より良好な空気流特性が得られる。ハブ５０４が時計回りの向きに回転すると、可撓性のブレード部分８０２が曲がって第１の湾曲位置８０６になり、それによって、第１の向き６０２の空気流が増加することを促進する。ハブ５０４が反時計回りの向きに回転すると、可撓性のブレード部分が曲がって第２の湾曲位置８０８になり、それによって、第１の向き６０２とは反対の第２の向き６０４の空気流が増加することを促進する。
【００３０】
一例における装置１００は、１つ又は複数の電子部品、ハードウェア部品、及びコンピュータソフトウェア部品等、複数の部品を備える。装置１００において、このような多数の部品を組み合わせてもよく、又は分割してもよい。当業者であれば理解するように、装置１００の例示的部品は、多数のプログラミング言語のうちのいずれかで書かれるか又は実施される一組の及び／又は一連のコンピュータ命令を用いる及び／又は備える。一例における装置１００は、いかなる（例えば、水平、斜め、又は鉛直）方向に向いていてもよいが、本明細書における説明及び図面は、説明の目的のために、装置１００の例示的な一方向を示す。
【００３１】
一例における装置１００は、１つ又は複数の信号を記録するコンピュータ可読媒体を用いる。信号を記録するコンピュータ可読媒体は、ソフトウェア、ファームウェア、及び／又はアセンブリ言語を記憶して、本発明の１つ又は複数の実施形態の１つ又は複数の部分を実行する。装置１００用の信号を記録するコンピュータ可読媒体としては、例えばファンコントローラ２０２の書込み可能なデータ記憶媒体３５０がある。一例における装置１００用の信号を記録するコンピュータ可読媒体には、磁気的、電気的、光学的、生物学的、及び原子的データ記憶媒体のうちの１つ又は複数が含まれる。例えば、信号を記録するコンピュータ可読媒体には、フロッピーディスク（登録商標）、磁気テープ、ＣＤ−ＲＯＭ、ＤＶＤ−ＲＯＭ、ハードディスクドライブ、及び電子メモリが含まれる。他の例において、信号を記録するコンピュータ可読媒体は、装置１００を備える又は装置１００に連結されたネットワーク、例えば電話網、ローカルエリアネットワーク（「ＬＡＮ」）、広域ネットワーク（「ＷＡＮ」）、インターネット、及び無線ネットワークのうちの１つ又は複数を介して送信される変調搬送波信号が含まれる。
【００３２】
本明細書において説明する各ステップ又は動作は、例示的なものに過ぎない。本発明の精神から逸脱することなく、このような各ステップ又は動作に多くの変形があってもよい。例えば、各ステップは異なる順番に行ってもよく、ステップを付け加えてもよく、削除してもよく、変更してもよい。
【００３３】
本明細書において、本発明の例示的な実施態様を詳細に示し且つ説明したが、本発明の精神から逸脱することなく、さまざまな変更、追加、代替等を行うことができ、したがって、これら変更、追加、代替等は特許請求の範囲において規定される本発明の範囲内にあると見なされる、ということが当業者には明らかであろう。
【図面の簡単な説明】
【００３４】
【図１】コンピュータシャーシ、ミッドプレーンボード、及び１つ又は複数の電子モジュールを備える装置の一実施態様を示す図である。
【図２】図１の装置のミッドプレーンボードと１つ又は複数の電子モジュールのうちの１つの電子モジュールとの間の例示的な接続を示す図である。
【図３】図１の装置の１つ又は複数の電子モジュールの反転可能なファン用の１つの例示的なファンコントローラを示す図である。
【図４】図１の装置の１つ又は複数の電子モジュールの反転可能なファン用の他の例示的なファンコントローラを示す図である。
【図５】図１の装置の１つ又は複数の電子モジュールの反転可能なファンを示す図である。
【図６】図５の装置の反転可能なファン用の１つの例示的なファンブレードのデザインを示す図である。
【図７】図５の装置の反転可能なファン用の他の例示的なファンブレードのデザインを示す図である。
【図８】図５の装置の反転可能なファン用のさらに他の例示的なファンブレードのデザインを示す図である。
【符号の説明】
【００３５】
１００    装置
１０２    シャーシ
１０４    ミッドプレーンボード
１０６    電子モジュール
１０８    電子モジュール
２０２    ファンコントローラ
２０４    反転可能なファン
【図１】
2006209765.tif 000003
【図２】
2006209765.tif 000004
【図３】
2006209765.tif 000005
【図４】
2006209765.tif 000006
【図５】
2006209765.tif 000007
【図６】
2006209765.tif 000008
【図７】
2006209765.tif 000009
【図８】
2006209765.tif 000010